(57)【要約】【課題】突出部の形状や寸法が異なる種々の支持部材に被取付部材を取り付けることができる取付器具を得ること。【解決手段】取付器具１００は、突出部Ｈを有する支持部材Ｒに被取付部材Ｓを取り付けるための取付器具であって、外側部材Ｍ１と、外側部材Ｍ１の内側にある内側部材Ｍ２と、外側部材Ｍ１を内側方向に締め付けることにより内側部材Ｍ２を突出部Ｈに取り付けるための締め付け手段１００ａとを備え、外側部材Ｍ１および内側部材Ｍ２は、締め付け手段１００ａにより外側部材Ｍ１が内側方向Ｄ１に締め付けられると、内側部材Ｍ２が少なくとも突出部の突出する方向Ｄ２に移動するように構成されている。【選択図】図１
2019143703.tif 000002
【特許請求の範囲】
【請求項１】
頭部と首部とを有する突出部を有する支持部材に被取付部材を取り付けるための取付器具であって、
外側部材と、
該外側部材の内側にある内側部材と、
該外側部材を内側方向に締め付けることにより該内側部材を該突出部に取り付けるための締め付け手段と
を備え、
該外側部材および該内側部材は、該締め付け手段により該外側部材が内側方向に締め付けられると、該内側部材が少なくとも該突出部の突出する方向に移動することにより該頭部に当接するように構成されている、取付器具。
【請求項２】
前記締め付け手段により前記外側部材が前記内側方向に締め付けられると、
該内側方向に移動し該首部に当接した該内側部材は、前記突出部の突出する方向に移動した状態で該頭部に当接する、請求項１に記載の取付器具。
【請求項３】
前記外側部材のうちの前記内側部材と当接する当接面は、前記締め付け手段から遠い端部に近い部分ほどより内側に位置する傾斜面を有し、
該外側部材の傾斜面は、傾斜が異なる２つの傾斜面を有し、
該２つの傾斜面のうちの前記外側部材の端部に近い近位傾斜面は、前記内側方向に対する傾斜が、該外側部材の端部から遠い遠位傾斜面に比べて小さい傾斜面である、請求項１または請求項２に記載の取付器具。
【請求項４】
前記内側部材のうちの前記外側部材の前記傾斜面と当接する当接面は、凸状の湾曲面を含む、請求項３に記載の取付器具。
【請求項５】
前記取付器具は、
前記内側部材として、対向する第１の内側部品および第２の内側部品を有し、
該締め付け手段により該外側部材が前記内側方向に締め付けられると、該第１の内側部品および該第２の内側部品が該内側方向に移動することにより該突出部を挟持するように構成されており、
該第１の内側部品は、該内側方向に沿って延びるガイド溝を有し、
該第２の内側部品は、該ガイド溝に挿入されるガイド片を有する、請求項１から請求項４のいずれか一項に記載の取付器具。
【請求項６】
前記取付器具は、
前記内側部材として、対向する第１の内側部品および第２の内側部品を有し、
該締め付け手段により該外側部材が前記内側方向に締め付けられると、該第１の内側部品および該第２の内側部品が該内側方向に移動することにより該突出部を挟持するように構成されており、
該第１の内側部品は、該内側方向に沿って延びる突起片を有し、
該第２の内側部品は、該第１の内側部品の突起片が嵌合される嵌合孔を有する、請求項１から請求項５のいずれか一項に記載の取付器具。
【請求項７】
請求項１から請求項６のいずれか一項に記載の取付器具と
前記支持部材と、
前記被取付部材と
を備え、
該被取付部材と該支持部材とが該取付器具で取付られている、被取付部材設置構造。
【発明の詳細な説明】
【技術分野】
【０００１】
本発明は、取付器具に関し、特に、被取付部材を支持部材に取り付けるための取付器具に関するものである。
【背景技術】
【０００２】
従来から太陽電池モジュールなどの被取付部材を屋根などの支持部材に取り付けるのに取付器具が用いられている。例えば、特許文献１には、このような取付器具として、太陽電池モジュールなどの屋根上設備をハゼ式折板屋根に取り付けるための固定金具が開示されている。
【０００３】
このような取付器具は、折板屋根のハゼ部など屋根の突出部に固定されるものであるが、屋根には多くの種類があり、屋根の種類が異なると突出部の形状が異なり、また、同じ種類の屋根でも製品毎に突出部の寸法が異なることもある。従って、様々な種類の屋根に屋根上設備を取り付けることを可能にするには、個々の屋根の突出部に合う多種類の取付器具を準備しておく必要があり、取付器具の販売、在庫、施工などの管理が煩雑になる。
【先行技術文献】
【特許文献】
【０００４】
【特許文献１】特開２０１１−１４０８６１公報
【発明の概要】
【発明が解決しようとする課題】
【０００５】
本発明は、突出部の形状や寸法が異なる種々の支持部材に被取付部材を取り付けることができる取付器具を得ることを目的とする。
【課題を解決するための手段】
【０００６】
本発明にかかる取付器具は、頭部と首部とを有する突出部を有する支持部材に被取付部材を取り付けるための取付器具であって、外側部材と、該外側部材の内側にある内側部材と、該外側部材を内側方向に締め付けることにより該内側部材を該突出部に取り付けるための締め付け手段とを備え、該外側部材および該内側部材は、該締め付け手段により該外側部材が内側方向に締め付けられると、該内側部材が少なくとも該突出部の突出する方向に移動することにより該頭部に当接するように構成されており、そのことにより上記目的が達成される。
【０００７】
本発明においては、前記締め付け手段により前記外側部材が前記内側方向に締め付けられると、該内側方向に移動し該首部に当接した該内側部材は、前記突出部の突出する方向に移動した状態で該頭部に当接することが好ましい。
【０００８】
本発明においては、前記外側部材のうちの前記内側部材と当接する当接面は、前記締め付け手段から遠い端部に近い部分ほどより内側に位置する傾斜面を有し、該外側部材の傾斜面は、傾斜が異なる２つの傾斜面を有し、該２つの傾斜面のうちの前記外側部材の端部に近い近位傾斜面は、前記内側方向に対する傾斜が、該外側部材の端部から遠い遠位傾斜面に比べて小さい傾斜面であってもよい。
【０００９】
本発明においては、前記内側部材のうちの前記外側部材の前記傾斜面と当接する当接面は、凸状の湾曲面を含んでいてもよい。
【００１０】
本発明においては、前記取付器具は、前記内側部材として、対向する第１の内側部品および第２の内側部品を有し、該締め付け手段により該外側部材が前記内側方向に締め付けられると、該第１の内側部品および該第２の内側部品が該内側方向に移動することにより該突出部を挟持するように構成されており、該第１の内側部品は、該内側方向に沿って延びるガイド溝を有し、該第２の内側部品は、該ガイド溝に挿入されるガイド片を有していてもよい。
【００１１】
本発明においては、前記取付器具は、前記内側部材として、対向する第１の内側部品および第２の内側部品を有し、該締め付け手段により該外側部材が前記内側方向に締め付けられると、該第１の内側部品および該第２の内側部品が該内側方向に移動することにより該突出部を挟持するように構成されており、該第１の内側部品は、該内側方向に延びる突起片を有し、該第２の内側部品は、該第１の内側部品の突起片が嵌合される嵌合孔を有していてもよい。
【００１２】
本発明にかかる被取付部材設置構造は、上述した（請求項１から請求項６のいずれか一項に記載の）取付器具と、前記支持部材と、前記被取付部材とを備え、該被取付部材と該支持部材とが該取付器具で取り付けられており、そのことにより上記目的が達成される。
【発明の効果】
【００１３】
本発明によれば、突出部の形状や寸法が異なる種々の支持部材に被取付部材を取り付けることができる取付器具を得ることができる。
【図面の簡単な説明】
【００１４】
【図１】図１は、本発明の概念を説明するための図であり、図１（ａ）〜図１（ｃ）は、本発明にかかる取付器具１００の動きを段階的に示している。
【図２】図２は、本発明の実施形態１による取付器具１００を説明するための図であり、図２（ａ）は、取付器具１００の外観を示し、図２（ｂ）は、取付器具１００を取り付ける嵌合式立平葺屋根Ｒａの構造を示し、図２（ｃ）は、取付器具１００を取り付ける巻きハゼ立平葺屋根Ｒｂの構造を示す。
【図３】図３は、図２に示す取付器具１００が嵌合式立平葺屋根Ｒａに取り付けられた状態を示す斜視図であり、図３（ａ）は、図２と同じ方向から見た取付器具１００を示し、図３（ｂ）は、図３（ａ）のＢ’方向から見た図３（ａ）の取付器具１００を示す。
【図３Ａ】図３Ａは、図２（ａ）に示す取付器具１００の分解斜視図である。
【図４】図４は、図２に示す取付器具１００を説明するための平面図であり、図４（ａ）〜図４（ｅ）はそれぞれ図３Ａに示す取付器具１００をＡ方向〜Ｅ方向から見た構造を示す。
【図５】図５は、図３Ａの分解斜視図における第１の内側部品１１０の具体的な構造を説明するための平面図であり、図５（ａ）〜図５（ｅ）はそれぞれ第１の内側部品１１０を図３におけるＡ方向〜Ｅ方向から見た構造を示す。
【図６】図６は、図３Ａの分解斜視図における第２の内側部品１２０の具体的な構造を説明するための平面図であり、図６（ａ）〜図６（ｅ）はそれぞれ第２の内側部品１２０を図３におけるＡ方向〜Ｅ方向から見た構造を示す。
【図７】図７は、図３Ａの分解斜視図における第１の外側部品１３０の具体的な構造を説明するための平面図であり、図７（ａ）〜図７（ｅ）はそれぞれ第１の外側部品１３０を図３におけるＡ方向〜Ｅ方向から見た構造を示す。
【図８】図８は、図３Ａの分解斜視図における第２の外側部品１４０の具体的な構造を説明するための平面図であり、図８（ａ）〜図８（ｅ）はそれぞれ第２の内側部品１４０を図３ＡにおけるＡ方向〜Ｅ方向から見た構造を示す。
【図９】図９は、太陽電池モジュールＳが建造物Ｃの嵌合式立平葺屋根Ｒａに設置されている状態を説明するための図であり、図９（ａ）は、建造物Ｃの嵌合式立平葺屋根Ｒａの全体を示す斜視図、図９（ｂ）は、図９（ａ）におけるＢ９部分を拡大して示す平面図であり、図９（ｃ）および図９（ｂ）はそれぞれ、図９（ｂ）におけるＣ９部分およびＤ９部分で用いられる押え金具１０１ａおよび１０１ｂを示す斜視図である。
【図１０】図１０は、図２に示す取付器具１００が嵌合式の立平葺屋根Ｒａに取り付けられる様子を説明するための平面図であり、図１０（ａ）は、取付器具１００が立平葺屋根Ｒａ上に配置された状態を示し、図１０（ｂ）は、取付器具１００が立平葺屋根Ｒａ上に固定された状態を示す。
【図１１】図１１は、図２に示す取付器具１００が立平葺屋根Ｒａの嵌合部Ｈａに固定されるメカニズムを説明するための図であり、図１１（ａ）〜図１１（ｄ）は、第１、第２の内側部品１１０、１２０および第１、第２の外側部品１３０、１４０がそれらの締結により移動する様子を段階的に示す。
【図１２】図１２は、図２に示す取付器具１００が巻きハゼ立平葺屋根Ｒｂに取り付けられる様子を説明するための平面図であり、図１２（ａ）は、取付器具１００が立平葺屋根Ｒｂ上に配置された状態を示し、図１２（ｂ）は、取付器具１００が立平葺屋根Ｒｂ上に固定された状態を示す。
【図１３】図１３は、図２に示す取付器具１００が立平葺屋根Ｒｂのハゼ部Ｈｂに固定されるメカニズムを説明するための図であり、図１３（ａ）〜図１３（ｄ）は、第１、第２の内側部品１１０、１２０および第１、第２の外側部品１３０、１４０がこれらの締結により移動する様子を段階的に示す。
【図１４】図１４は、本発明の実施形態２による取付器具２００を説明するための図であり、図１４（ａ）は、取付器具２００の外観を示す平面図、図１４（ｂ）〜図１４（ｅ）は、第１、第２の内側部品２１０、２２０および第１、第２の外側部品１３０、１４０がこれらの締結により移動する様子を段階的に示す断面図である。
【図１５】図１５は、図１４に示す取付器具２００の締付機構２００ａを構成する第１の内側部品２１０の具体的な構造を説明するための平面図であり、図１５（ａ）〜図１５（ｅ）はそれぞれ、図１４（ａ）に示す第１の内側部品２１０を図３のＡ方向〜Ｅ方向に相当する方向から見た構造を示す。
【図１６】図１６は、図１４に示す取付器具２００の締付機構２００ａを構成する第２の内側部品２２０の具体的な構造を説明するための平面図であり、図１６（ａ）〜図１６（ｅ）はそれぞれ、図１４（ａ）に示す第２の内側部品２２０を図３のＡ方向〜Ｅ方向に相当する方向から見た構造を示す。
【図１７】図１７は、本発明の実施形態３による取付器具３００を説明するための図であり、図１７（ａ）は、取付器具３００の外観を示す平面図、図１７（ｂ）〜図１７（ｅ）は、第１、第２の内側部品１１０、１２０および外側部品１３０がこれらの締結により移動する様子を段階的に示す断面図である。
【図１８】図１８は、実施形態４による取付器具４００を説明するための図であり、図１８（ａ）は、取付器具４００の外観を示す平面図、図１８（ｂ）〜図１８（ｅ）は、内側部品４１０および第１、第２の外側部品１３０、４４０がこれらの締結により移動する様子を段階的に示す断面図である。
【図１９】図１９は、図１８に示す取付器具４００の締付機構４００ａを構成する内側部品４１０の具体的な構造を説明するための平面図であり、図１９（ａ）〜図１９（ｅ）はそれぞれ、図１８（ａ）に示す内側部品４１０を図３ＡのＡ方向〜Ｅ方向に相当する方向から見た構造を示す。
【発明を実施するための形態】
【００１５】
まず、本発明の概念を説明する。
【００１６】
図１は、本発明の概念を説明するための図であり、図１（ａ）〜図１（ｃ）は、本発明に係る取付器具１００の動きを示している。
【００１７】
本発明の取付器具１００は、突出部Ｈを有する支持部材Ｒに被取付部材Ｓを取り付けるための取付器具である。
【００１８】
本発明の取付器具１００は、外側部材Ｍ１と、外側部材Ｍ１の内側にある内側部材Ｍ２と、外側部材Ｍ１を内側方向Ｄ１に締め付けることにより内側部材Ｍ２を突出部Ｈに取り付けるための締め付け手段１００ａとを備えている（図１（ａ）を参照）。
【００１９】
そして、本発明では、図１（ａ）の状態から締め付け手段１００ａにより外側部材Ｍ１が内側方向Ｄ１に締め付けられていくと、外側部材Ｍ１とともに内側部材Ｍ２が、内側方向に移動し突出部の首に当接する（図１（ｂ）を参照）。さらに、締め付け手段１００ａにより外側部材Ｍ１が内側方向Ｄ１に締め付けられていくと、内側部材Ｍ２は突出部の首部の形状に沿って首部の高さ方向Ｄ２に移動することにより頭部に当接する（図１（ｃ）を参照）。このように、本発明の取付器具は、締め付け手段により外側部材を内側方向に締め付けることにより、内側部材は、頭部に当接するまで少なくとも首部の高さ方向（突出部の突出方向）Ｄ２に移動可能なため、単一仕様であっても、突出部Ｈの形状や寸法が異なる種々の支持部材Ｒに取り付け可能である。上述の説明において、締め付け手段の締め付けにおいて、内側部材は内側方向に移動し突出部の首部に当接した後に、首部の高さ方向に移動する場合を示しているが、本発明は内側方向の移動と首部の高さ方向の移動が同時に行われる場合も含まれる。
【００２０】
したがって、本発明は、単一仕様の取付器具により、突出部の形状や寸法が異なる種々の支持部材Ｒに被取付部材Ｓを取り付けることを可能にするという課題を解決している。
【００２１】
本発明においては、支持部材Ｒ、被取付部材Ｓ、締め付け手段１００ａは、上述した課題解決のための構成を有するものであれば、どのようなものでもよい。
【００２２】
取付器具１００は、突出部が少なくとも以下の２つの条件を満たすことにより、突出部の首部の長さ（高さ）、さらに突出部の高さの異なる種々のタイプの支持部材に単一仕様で取付可能である。
【００２３】
・突出部の首部の長さ（高さ）が、内側部品の突出部の突出する方向に移動可能な距離の範囲内であること。
【００２４】
・突出部の全体の高さが、外側部材の締め付け手段から遠い端部と締め付け手段との間の距離の範囲内であること。
【００２５】
〔支持部材Ｒ〕
支持部材Ｒは、頭部と首部とを有する突出部Ｈを有するものであればどのようなものでもよい。突出部の頭部に内側部品Ｍ２の先端部を引っ掛けて取付器具１００を支持部材Ｒに強固に固定することができる。首部の形状は突出部の突出方向に向かうにしたがい、幅が小さく内側に近づく形状であってもよいし、突出方向のどの位置においても、幅が同じ形状であってもよい。
【００２６】
頭部の形状は、内側部材が首部の形状に沿って移動して頭部に当接した状態において、内側部材の移動を抑制できる範囲で任意の形状であり得る。例えば、首部よりも幅が大きい（太い）形状を有する形状であってもよいし、内側部材が係合する首部の幅より小さい（細い）凹部を有する形状であってもよい。
【００２７】
支持部材は、例えば、折板屋根の一種である立平葺屋根である。立平葺屋根には、「嵌合式」と「巻きハゼ」の大きく２タイプがあり、嵌合式立平葺屋根は突出部として嵌合部を有し、巻きハゼ立平葺屋根は突出部として巻きハゼ部を有する。
【００２８】
嵌合部は、隣接する屋根材の一方の端部に形成された線状凸部と隣接する屋根材の他方の端部に形成された線状凹部とを嵌合させて隣接する屋根材を接続してなる嵌合式立平葺屋根の接合部分である。巻きハゼ部は、隣接する屋根材の一方の端部と隣接する屋根材の他方の端部とを重ね合わせて巻き込むことにより隣接する屋根材を接続してなる巻きハゼ立平葺屋根の接合部分である。このように嵌合部と巻きハゼ部とは、隣接する屋根材を接合する構造が異なるので、その形状も異なる。
【００２９】
また、同じタイプの立平葺屋根においても、その構造は製品毎に異なる。例えば、製品毎に突出部（嵌合部あるいは巻きハゼ部）の首部の幅や高さが異なる。
【００３０】
さらに、巻きハゼ部の形状には種々のものがある。例えば、巻きハゼ部の頭部の断面形状には、円形、楕円形、矩形など種々のものがあり、さらには、頭部と首部との位置関係も、首部が頭部の中心部分から下方に延びているもの、首部が頭部の一端側から下方に延びているものなどがある。
【００３１】
さらに、支持部材は、立平葺屋根以外の折板屋根（例えば、ハゼ式折板屋根）でもよいし、支持部材は、折板屋根に限らず、折板屋根以外の屋根でもよい。折板屋根以外の屋根には、例えば、折板屋根以外の金属製屋根、コンクリート製屋根、瓦葺屋根などがある。
【００３２】
また、支持部材は、建造物の屋根に限らず、建造物の壁、柱、基礎などであってもよいし、あるいは、建造物以外の構造物の一部であってもよい。
【００３３】
要するに、支持部材は、構造物の一部であって、その表面から突出する突出部を有するものであればどのようなものでもよい。
【００３４】
〔被取付部材〕
被取付部材Ｓは、取付器具を介して支持部材Ｒに取り付けられるものであれば任意であり得る。例えば、支持部材が建造物の屋根である場合は、被取付部材は、屋根上に設置される設備（屋根上設備）である。このような屋根上設備には、例えば、太陽電池モジュール（ソーラーパネル）、空調装置、アンテナ、避雷針、緑化屋根用プランターなどがある。しかし、本発明はこれらに限定されない。
【００３５】
〔締め付け手段〕
締め付け手段１００ａは、外側部材Ｍ１を内側方向Ｄ１に締め付けることにより内側部材Ｍ２を突出部Ｈに取り付けるためのものであれば任意の形態であり得る。
【００３６】
一般的に締め付け手段は、ワッシャー（平座金）やスプリングワッシャー（ばね座金）とともに用いられる締付ボルトおよび締付ナットである。ただし、締め付け手段１００ａは、締結バンド、さらには、てこの原理などを利用して複数の部品を締結する締結器具などでもよい。
【００３７】
〔外側部材および内側部材〕
内側部材Ｍ２は、外側部材Ｍ１の内側にあり、外側部材Ｍ１および内側部材Ｍ２は、締め付け手段１００ａにより外側部材Ｍ１が内側方向Ｄ１に締め付けられると、内側部材Ｍ２が内側方向と突出部の突出する方向Ｄ２とに移動するように構成されているものであれば任意の形態であり得る。
【００３８】
従って、締め付け手段１００ａによる外側部材Ｍ１の内側方向Ｄ１への締付により内側部材Ｍ２を内側方向Ｄ１と突出部の突出する方向Ｄ２とに移動させる構成は特定の形態などに限定されるものではない。
【００３９】
この構成は、例えば、内側部材Ｍ２の側面を内側方向（内側部材Ｍ２の締め付け方向）Ｄ１に対して傾斜させておき、外側部材Ｍ１を内側方向Ｄ１に移動させて内側部材Ｍ２の側面に当接させつつ内側方向Ｄ１への移動を継続することにより、内側部材Ｍ２を首部の形状に沿って突出部の突出する方向Ｄ２に移動させるものでもよい。
【００４０】
さらに、外側部材Ｍ１のうちの内側部材Ｍ２と当接する当接面は、締め付け手段から遠い端部に近い部分ほどより内側に位置する傾斜面を有していてもよい。この場合、外側部材の傾斜面は、凹状の湾曲面を含むことが望ましい。
【００４１】
さらに、外側部材Ｍ１の傾斜面は、傾斜が異なる２つの傾斜面を有し、２つの傾斜面のうちの外側部材の端部に近い近位傾斜面は、内側方向Ｄ１に対する傾斜が、外側部材Ｍ１の端部から遠い遠位傾斜面に比べて小さい傾斜面であってもよい。
【００４２】
さらに、内側部材Ｍ２のうちの外側部材Ｍ１と当接する当接面は、締め付け手段から遠い外側部材Ｍ１の端部までの距離が近い部分ほどより内側に位置する傾斜面を有していてもよい。この場合、内側部材Ｍ２の傾斜面は、凸状の湾曲面を含んでいてもよい。
【００４３】
さらに、内側部材Ｍ２の傾斜面は、内側方向Ｄ１に対する傾斜が、外側部材Ｍ１の遠位傾斜面に比べて小さく、かつ、外側部材の近位傾斜面に比べて大きくてもよい。
【００４４】
締め付け手段１００ａにより外側部材Ｍ１が内側方向Ｄ１に締め付けられると、内側方向に移動して首部に当接した内側部材Ｍ２は、首部の形状に沿って突出部の突出する方向Ｄ２に移動した状態で頭部に当接するものである。内側部材Ｍ２は、頭部に係合する係合爪を有していてもよい。
【００４５】
さらに、取付器具１００は、外側部材Ｍ１として１以上の外側部品を含んでいてもよいし、内側部材Ｍ２として１以上の内側部品を含んでいてもよい。取付器具１００を構成する部品の数は限定されるものではない。
【００４６】
内側部品および外側部品の材料は、例えば、アルミ、鉄、ステンレスなどの金属材料であってもよいし、樹脂材料であってもよい。また、これらの部品は、押し出し成型により形成されたものでもよいが、これらの部品の形成は、押し出し成型に限らず、鍛造やプレス加工などの他の方法による形成でもよい。
【００４７】
上述したように本発明の取付器具を構成する支持部材、被取付部材、締め付け手段は、上述した課題解決のための構成を有するものであれば、特に限定されるものではないが、以下の実施形態では、被取付部材がソーラーパネル（太陽電池モジュール）であり、取付器具の取付の対象となる支持部材が２つのタイプの立平葺屋根、具体的には、嵌合式立平葺屋根と巻きハゼ立平葺屋根である場合について説明する。嵌合式立平葺屋根は、首部と頭部とを有する突出部として嵌合部を含み、巻きハゼ立平葺屋根は、首部と頭部とを有する突出部として巻きハゼ部を含む。
【００４８】
特に、「実施形態１」（図２〜図１３）では、内側部材Ｍ２として、対向する第１、第２の内側部品１１０、１２０を有し、外側部材Ｍ２として、対向する第１、第２の外側部品１３０、１４０を有する取付器具１００を説明する。
【００４９】
「実施形態２」（図１４〜図１６）では、対向する第１、第２の内側部品２１０、２２０の構造が、実施形態１で説明した構造とは異なる取付器具２００を説明する。
【００５０】
「実施形態３」（図１７）では、内側部材Ｍ１として、対向する第１、第２の内側部品１１０、１２０を有し、外側部材Ｍ２として１つの外側部品１３０を有する取付器具３００を説明する。
【００５１】
「実施形態４」（図１８〜図１９）では、内側部材Ｍ１として１つの内側部品４１０を有し、外側部材Ｍ２として、対向する第１、第２の外側部品１３０、１４０を有する取付器具４００を説明する。
【００５２】
さらに、各実施形態では、少なくとも、支持部材と、支持部材に取り付けられた取付部材と、取付器具に取り付けられた被取付部材とにより、被取付部材と支持部材とが取付器具により取り付けられた被取付部材設置構造が実現されている。
【００５３】
以下、本発明の実施形態について図面を参照しながら説明する。
【００５４】
〔実施形態１〕
１．取付器具１００の構造
図２〜図３、図３Ａ、図４は、本発明の実施形態１による取付器具１００を説明するための図である。図２（ａ）は、取付器具１００の外観を示す斜視図であり、図２（ｂ）および図２（ｃ）はそれぞれ、取付器具１００を取り付ける嵌合式立平葺屋根Ｒａおよび巻きハゼ立平葺屋根Ｒｂの構造を示す。図３（ａ）は、嵌合式立平葺屋根Ｒａに取り付けられた取付器具１００を示し、図３（ｂ）は、図３（ａ）のＢ’方向から見た図３（ａ）の取付器具１００を示す。
【００５５】
実施形態１の取付器具１００は、被取付部材を支持部材に取り付けるための金具であり、図２（ａ）、図３（ａ）および図３（ｂ）に示すように、一対の内側部品１１０、１２０と、一対の外側部品１３０、１４０と、締め付け手段１００ａとを有する。
【００５６】
この実施形態１では、被取付部材Ｓは太陽電池モジュール（以下、ソーラーパネルという。）Ｓであり、取付器具１００を固定する対象となる支持部材Ｒは、タイプの異なる２つの立平葺屋根である。
【００５７】
１つのタイプの立平葺屋根は、図２（ｂ）（図３（ａ）、図３（ｂ））に示される嵌合式立平葺屋根Ｒａである。嵌合式立平葺屋根Ｒａは、図２（ｂ）に示すように、隣接する屋根材の一方の屋根材Ｒａ１の端部に形成された線状凸部と、隣接する屋根材の他方の屋根材Ｒａ２の端部に形成された線状凹部とを嵌合させて隣接する屋根材Ｒａ１およびＲａ２を接続してなる立平葺屋根である。この嵌合式立平葺屋根Ｒａは、図２（ｂ）などに示すように、屋根材Ｒａ１、Ｒａ２の平坦部分が形成する屋根本体（支持部材本体）Ｂａと、屋根本体Ｂａの表面から突出する嵌合部（突出部）Ｈａとを有する。嵌合部Ｈａは、頭部Ｈａ１と、頭部Ｈａ１と屋根本体Ｂａとの間に位置する首部（突出部）Ｈａ２とを有する。首部Ｈａ２の幅ｗａ２は、頭部Ｈａ１の幅ｗａ１より細く、頭部Ｈａ１の下端部は、首部Ｈａ２の両側に迫り出した顎部Ｈａ３となっている。
【００５８】
もう１つのタイプの立平葺屋根は、図２（ｃ）に示すように、隣接する屋根材の一方の屋根材Ｒｂ１の端部と、隣接する屋根材の他方の屋根材Ｒｂ２の端部とが巻き込まれるようにこれらを重ね合わせてかしめることにより、隣接する屋根材Ｒｂ１およびＲｂ２を接続してなる巻きハゼ立平葺屋根Ｒｂである。巻きハゼ立平葺屋根Ｒｂは、屋根材Ｒｂ１、Ｒｂ２の平坦部分が形成する屋根本体（支持部材本体）Ｂｂと、屋根本体Ｂｂの表面から突出する巻きハゼ部（突出部）Ｈｂとを有する。巻きハゼ部Ｈｂは、頭部Ｈｂ１と、頭部Ｈｂ１と屋根本体Ｂｂとの間に位置する首部（突出部）Ｈｂ２とを有する。首部Ｈｂ２の幅ｗｂ２は、頭部Ｈｂ１の幅ｗｂ１より細く、頭部Ｈｂ１の下端部は、首部Ｈｂ２の一方側に迫り出した顎部Ｈｂ３となっている。
【００５９】
なお、嵌合式立平葺屋根Ｒａの嵌合部Ｈａの幅ｗａ１および高さｈａ１、さらに首部Ｈａ２の幅ｗａ２および高さｈａ２は、同じ種類の嵌合式立平葺屋根であっても、個々の製品で異なる場合がある。巻きハゼ立平葺屋根Ｒｂの巻きハゼ部Ｈｂの幅ｗｂ１および高さｈｂ１、さらに首部Ｈｂの幅ｗｂ２および高さｈｂ２も、同じ種類の巻きハゼ立平葺屋根Ｒｂであっても、個々の製品で異なる場合がある。
【００６０】
取付器具１００は、上述した２つのタイプの立平葺屋根だけでなく、突出部の首部の幅、首部の高さ、さらに、突出部の高さの異なる種々のタイプの屋根の突出部に固定可能なものである。
【００６１】
〔取付器具１００〕
実施形態１の取付器具１００では、図３に示すように、締め付け手段１００ａは、対向する第１、第２の内側部品１１０、１２０からなる内側部材および対向する第１、第２の外側部品１３０、１４０からなる外側部材とを貫通する締付ボルトＢｔと、締付ボルトＢｔに装着される平座金ＷおよびスプリングワッシャーＳｗと、締付ボルトＢｔに螺合する締付ナットＮｔとを含む。ここで、締め付け手段は、平座金やスプリングワッシャーを含むが、本発明はこれに限定されない。スプリングワッシャーに代えて皿バネ座金などを用いてもよい。平座金やスプリングワッシャーなどの座金は必要に応じて取捨選択することが可能である。
【００６２】
ここで、締め付け手段１００ａは、外側部品１３０、１４０を内側方向（図２のＢ方向、Ｃ方向）に締め付けることにより、内側部品１１０、１２０を突出部Ｈａに取り付けるものである。
【００６３】
具体的には、突出部Ｈａへの内側部品１１０、１２０の取り付けは、以下のように行われる。内側部品１１０、１２０の締め付け手段から遠い端部（先端部）により嵌合部Ｈａの首部Ｈａ２が挟持されることにより嵌合部Ｈａの首部Ｈａ２に対する内側方向（幅方向）の締付が行われ、かつ、内側部品１１０、１２０の先端部が嵌合部Ｈａの首部Ｈａ２に沿って移動した状態で嵌合部Ｈａの頭部Ｈａ１を押し上げるように頭部Ｈａ１に当接する。そして、外側部品１３０、１４０の先端部が屋根本体（支持部材本体）Ｂａの表面を押すことにより、首部Ｈａ２に対する高さ方向の締付が行われる。
【００６４】
なお、嵌合式立平葺屋根Ｒａの嵌合部Ｈａに取り付けられた取付器具１００上には、図３に示すように、ソーラーパネルＳが載せられ、ソーラーパネルＳは、押え金具１０１ａにより取付器具１００に固定される。押え部材１０１ａは、取付器具１００のボルト装着溝１３ａに装着された固定ボルトＢｆに座金Ｗ、スプリングワッシャーＳｗを介して固定ナットＮｆを締め付けることにより取付器具１００に固定される。
【００６５】
以下、取付器具１００における第１、第２の内側部品１１０、１２０および第１、第２の外側部品１３０、１４０を詳しく説明する。
【００６６】
図３Ａは、図２（ａ）に示す取付器具１００の分解斜視図である。図４（ａ）〜図４（ｅ）はそれぞれ図２（ａ）に示す取付器具１００をＡ方向〜Ｅ方向から見た構造を示す。なお、取付器具１００を図２（ａ）のＦ方向から見た構造は、取付器具１００を図２（ａ）のＡ方向から見た構造と対称であるため、その図示を省略している。
【００６７】
＜第１の内側部品１１０＞
図５は、図３Ａの分解斜視図における第１の内側部品１１０の具体的な構造を説明するための平面図であり、図５（ａ）〜図５（ｅ）はそれぞれ第１の内側部品１１０を図３ＡにおけるＡ方向〜Ｅ方向から見た構造を示す。
【００６８】
第１の内側部品１１０は、ソーラーパネルＳが載置される上面部１０ｂと、上面部１０ｂを支持する側壁部１０ａとを有する。なお、以下の第１の内側部品１１０の説明において、第１の内側部品１１０における該当する部分の「内側」は、該当する部分の第２の内側部品１２０側を意味し、第１の内側部品１１０における該当する部分の「外側」は、該当する部分の第２の内側部品１２０側とは反対側を意味する。
【００６９】
（第１の内側部品１１０の上面部１０ｂ）
上面部１０ｂは、平面図で長方形形状を有する板状の上面基部１３と、上面基部１３上にその長手方向に延びるように形成された一対の細長基台１５、１６と、上面基部１３の内側縁部の中央部分から横方向に突出する突起片１４とを有する。突起片１４は後述する第２の内側部品１２０に設けられる嵌合孔２３ａに挿入される部分である。
【００７０】
ここで、一対の細長基台１５、１６は、幅方向の縦断面における形状として例えば断面略Ｔ字形状を有し、これらの細長基台１５、１６の上面は、ソーラーパネルＳを載置するためのパネル載置面を形成している。一対の細長基台１５、１６のうちの上面基部１３の外側に位置する細長基台１５の外側縁の中央部には、細長基台１５、１６のパネル載置面に載置されたソーラーパネルＳを位置決めするための係止突起１５ａが形成されている。一対の細長基台１５、１６の間にはボルト装着溝１３ａが形成されている。ボルト装着溝１３ａには、パネル載置面に載置されたソーラーパネルＳを押える押え部材１０１ａを固定する固定ボルトＢｆの頭部が装着される。なお、固定ボルトＢｆを第１の内側部品１１０に取り付けるための構造は、ボルト装着溝１３ａに限定されるものではく、上面基部１３に固定ボルトＢｆの挿通孔を形成した構造でもよい。
【００７１】
ここで、突起片１４および係止突起１５ａは、本発明の取付器具１００を構成する第１の内側部品１１０に必須のものではない。従って、第１の内側部品１１０は、突起片１４および係止突起１５ａの少なくとも一方を含まないものでもよい。
【００７２】
（第１の内側部品１１０の側壁部１０ａ）
側壁部１０ａは、上面部１０ｂを構成する上面基部１３の外側端縁から下方に延びる側壁本体１１と、側壁本体１１のうちの上面基部１３に近接する部分に上面基部１３に平行に内側に延びるように形成された部品係合片１２とを有する。第１の内側部品１１０は、内側方向に沿って延びるガイド溝１２ａを有している。ガイド溝１２ａは、部品係合片１２と上面基部１３との間に有する溝であり、後述する第２の内側部品１２０の一部である上面基部２２（図４参照）がガイド片として挿入される。
【００７３】
ここで、側壁本体１１は、上面基部１３の鉛直方向に対して、側壁本体１１の下端側が上面基部１３の内側に入り込むように傾斜している。側壁本体１１の外側面は、第１の外側部品１３０の内側面に接する面であり、基準横面に対して傾斜した傾斜面となっている。ここで、基準横面は、突出部が突出する方向に垂直な面である。なお、側壁本体１１の外側面は、第１の内側部品１１０の端部（締め付け手段１００ａから遠い端部）に近いほど内側に位置する傾斜面である。この傾斜面の上記内側方向に対する傾斜は、後述する第１の外側部品１３０の遠位傾斜面（第１傾斜部３１の内側の傾斜面）に比べて小さく、かつ、後述する第１の外側部品１３０の近位傾斜面（第２傾斜部３２の内側の傾斜面）に比べて大きい。また、側壁本体１１の外側面の下端には、凸状の湾曲面を形成する先端湾曲部１１ｃが形成されている。この側壁本体１１の下端部に支持部材の頭部と係合する係合爪１１ａが形成されている。係合爪１１ａは、締め付け手段１００ａによる締め付けの際、支持部材の突出部の首部（嵌合式立平葺屋根Ｒａの嵌合部Ｈａの首部Ｈａ１あるいは巻きハゼ立平葺屋根Ｒｂの巻きハゼ部Ｈｂの首部Ｈｂ１）の側面に当接し、かつ、突出部の頭部の顎部（嵌合部Ｈａの顎部Ｈａ３あるいは巻きハゼ部Ｈｂの顎部Ｈｂ３）に係合する部分である。係合爪の形状は、頭部（顎部）に係合する範囲で任意であり得る。
【００７４】
さらに、側壁本体１１の高さ方向の中央部分には、締め付け手段１００ａを構成する締付ボルトＢｔを通すための対向する一対の長孔（ボルト挿通長孔）１１ｂが形成されている。図３Ａ、図５に示す実施形態において、長孔１１ａは一対の場合について説示しているが、本発明はこれに限定されない。例えば、一つであってもよいし、３個以上の複数であってもよい。
【００７５】
なお、本発明の取付器具１００を構成する第１の内側部品１１０では、部品係合片１２（ガイド溝１２ａ）は必須のものではない。従って、第１の内側部品１１０は、部品係合片１２（ガイド溝１２ａ）を含まないものであってもよい。また、側壁本体１１の外側面の下端は、凸状の湾曲面であることは必須ではなく、第１の内側部品１１０は、先端湾曲部１１ｃを有しておらず、側壁本体１１の外側面の下端部は、この外側面を形成する１つの平面の一部であってもよい。
【００７６】
また、側壁本体１１は、上面基部１３の鉛直方向に対して、側壁本体１１の下端側が上面基部１３の内側に入り込むように傾斜しているが、側壁本体１１は、必ずしも傾斜している必要はなく、側壁本体１１は、上面基部１３の鉛直方向に平行に配置されていてもよい。
【００７７】
＜第２の内側部品１２０＞
図６は、図３Ａの分解斜視図における第２の内側部品１２０の具体的な構造を説明するための平面図であり、図６（ａ）〜図６（ｅ）はそれぞれ第２の内側部品１２０を図３ＡにおけるＡ方向〜Ｅ方向から見た構造を示す。
【００７８】
第２の内側部品１２０は、第１の内側部品１１０のガイド溝１２ａに挿入される上面部（ガイド片）２０ｂと、上面部２０ｂを支持する側壁部２０ａとを有する。なお、以下の第２の内側部品１２０の説明において、第２の内側部品１２０における該当する部分の「内側」は、該当する部分の第１の内側部品１１０側を意味し、第２の内側部品１２０における該当する部分の「外側」は、該当する部分の第１の内側部品１１０側とは反対側を意味する。
【００７９】
（第２の内側部品１２０の上面部２０ｂ）
上面部２０ｂは、平面図において長方形形状を有する板状の上面基部２２と、上面基部２２の外側縁部から斜め上方に突出するように形成された線状突出片２３とを有する。上面基部２２の上面は、その中央部から第１の内側部品１１０に対向する内側縁部にかけて、内側縁部側が中央部側より低くなるように傾斜している。ただし、上面基部２２の上面の傾斜は、必ずしも必要ではなく、上面基部２２の上面は全体に渡って第１の内側部品１１０の上面基部１３の下面と平行であってもよい。線状突出片２３には、第１の内側部品１１０の突起片１４が嵌合する嵌合孔２３ａが形成されている。第１の内側部品１１０の突起片１４が第２の内側部品１２０の嵌合孔２３ａに挿入され、かつ、第２の内側部品１２０の上面基部２２が第１の内側部品１１０のガイド溝１２ａに挿入されることにより、両内側部品１１０および１２０の一定の姿勢が維持された状態で、第１の内側部品１１０と第２の内側部品１２０とが近接あるいは離反可能となる。この一定の姿勢は、第１の内側部品１１０の上面基部１３と第２の内側部品１２０の上面基部２２とが平行になる姿勢である。また、第１の内側部品１１０、第２の内側部品１２０、第１の外側部品１３０、第２の外側部品１４０が締付ボルトＢｔおよび締付ナットＮｔで仮止めされた取付部品１００の仮止状態では、第１の内側部品１１０の突起片１４が第２の内側部品１２０の嵌合孔２３ａに挿入されることにより、第１の内側部品１１０が第２の内側部品１２０に対して回転するのが阻止される。これにより、取付器具１００の仮止め状態では、第１の内側部品１１０と第２の内側部品１２０との位置関係を、取付器具１００を嵌合式立平葺屋根Ｒａの嵌合部Ｈａや巻きハゼ立平葺屋根Ｒｂの巻きハゼ部Ｈｂに取り付けるときの位置関係に保つことができる。従って、取付作業の際には、現場に仮止め状態で搬入された取付器具１００をそのままの状態で嵌合式立平葺屋根Ｒａの嵌合部Ｈａや巻きハゼ立平葺屋根Ｒｂ上に配置することができる。
【００８０】
なお、線状突出片２３は、本発明の取付器具１００を構成する第１の内側部品１２０に必須のものではない。従って、第２の内側部品１２０は、線状突出片２３を含まないものでもよい。
【００８１】
（第２の内側部品１２０の側壁部２０ａ）
側壁部２０ａは、上面部２０ｂを構成する上面基部２２の外側端縁から下方に延びる側壁本体２１を有する。
【００８２】
ここで、側壁本体２１は、上面基部２２の鉛直方向に対して、側壁本体２１の下端側が上面基部２２の内側に入り込むように傾斜している。側壁本体２１の外側面は、第２の外側部品１４０の内側面に接する面であり、上述した基準横面に対して傾斜した傾斜面となっている。なお、側壁本体２１の外側面は、第２の内側部品１２０の端部（締め付け手段１００ａから遠い端部）に近いほど内側に位置する傾斜面である。この傾斜面の上記内側方向に対する傾斜は、後述する第２の外側部品１４０の遠位傾斜面（第１傾斜部４１の内側の傾斜面）に比べて小さく、かつ、後述する第２の外側部品１４０の近位傾斜面（第２傾斜部４２の内側の傾斜面）に比べて大きい。また、側壁本体２１の外側面の下端には、凸状の湾曲面を形成する先端湾曲部２１ｃが形成されている。この側壁本体２１の下端側の先端には、係合爪（先端係合爪）２１ａが形成されている。先端係合爪２１ａは、締め付け手段１００ａによる締め付けの際、支持部材の突出部の首部（嵌合式立平葺屋根Ｒａの嵌合部Ｈａの首部Ｈａ１あるいは巻きハゼ立平葺屋根Ｒｂの巻きハゼ部Ｈｂの首部Ｈｂ１）の側面に当接し、かつ、突出部の頭部の顎部（嵌合部Ｈａの顎部Ｈａ３あるいは巻きハゼ部Ｈｂの顎部Ｈｂ３）に係合する部分である。ただし、図２（ｃ）に示す巻きハゼ部Ｈｂの場合は、顎部Ｈｂ３は首部Ｈｂ２の紙面左側にしか形成されていないので、第２の内側部品１２０の先端係合爪２１ａは巻きハゼ部Ｈｂの顎部Ｈｂ３に引っ掛からない。
【００８３】
さらに、側壁本体２１におけるその高さ方向における中間的な部分には、締め付け手段１００ａを構成する締付ボルトＢｔを通すための対向する一対の長孔（ボルト挿通長孔）２１ｂが形成されている。
【００８４】
ここで、側壁本体２１の外側面の下端は、凸状に湾曲した形状であることは必須ではなく、第２の内側部品１２０は、先端湾曲部２１ｃを有しておらず、側壁本体２１の外側面の下端部は、この外側面を形成する１つの平面の一部であってもよい。
【００８５】
また、側壁本体２１は、上面基部２２の鉛直方向に対して、側壁本体２１の下端側が上面基部２２の内側に入り込むように傾斜しているが、側壁本体２１は、必ずしも傾斜している必要はなく、側壁本体２１は、上面基部２２の鉛直方向に平行に配置されていてもよい。
【００８６】
＜第１の外側部品１３０＞
図７は、図３Ａの分解斜視図における第１の外側部品１３０の具体的な構造を説明するための平面図であり、図７（ａ）〜図７（ｅ）はそれぞれ第１の外側部品１３０を図３ＡにおけるＡ方向〜Ｅ方向から見た構造を示す。
【００８７】
第１の外側部品１３０は、第１の内側部品１１０の側壁部１０ａに対向する側壁部３０ａと、側壁部３０ａを支持する底面部３０ｂとを有する。
【００８８】
（第１の外側部品１３０の側壁部３０ａ）
側壁部３０ａは、上述した基準横面に対する内側面の傾斜が急である第１傾斜部３１と、基準横面に対する内側面の傾斜が緩い第２傾斜部３２とを有する。ここで、側壁部３０ａの内側面（第１の内側部品１１０と当接する当接面）は、側壁部３０ａの表面のうちの上記の部品組立状態で取付器具１００の内側を向く傾斜面であり、第１の外側部品１３０の端部（締め付け手段１００ａから遠い端部）に近いほど内側に位置する。第１傾斜部３１の内側面は、第１の外側部品１３０の端部（締め付け手段１００ａから遠い端部）から遠い遠位傾斜面であって、平面形状を有する。第２傾斜部３２の内側面は、第１の外側部品１３０の端部（締め付け手段１００ａから遠い端部）に近い近位傾斜面であって、内側方向および突出部の突出する方向を含む面（図７の紙面に平行な面）内で凹状に湾曲した曲面形状（凹状の湾曲面）を有する。ここで、基準横面に対する第２傾斜部３２の内側面の傾斜角度は、４０度以下であり、望ましくは、３５度以下である。第１傾斜部３１には、締め付け手段１００ａを構成する締付ボルトＢｔを通すための対向する一対の丸孔（ボルト挿通孔）３１ａが形成されている。さらに、第１傾斜部３１の表面のうちの外側面（部品組立状態で取付器具１００の外側を向く面）には、取付器具１００の長さ方向（上面基部１３の表面に平行でかつ締結方向に垂直な方向）に平行に延びる上下一対の線状突出部３１ｂ１、３１ｂ２が形成されており、これらの線状突出部３１ｂ１および３１ｂ２に挟まれた領域は、締付ボルトＢｔの頭部に嵌合して締付ボルトＢｔの供回りを阻止するボルト嵌合部３１ｂとなっている。
【００８９】
ただし、締付ボルトＢｔの供回りを阻止するための構成は、上下の線状突出部３１ｂ１および３１ｂ２の間で締付ボルトＢｔの頭部を挟むボルト嵌合部３１ｂに限定されるものではなく、締付ボルトＢｔの回転を規制するように締付ボルトＢｔの頭部に係合する構造であればどのようなものでもよい。
【００９０】
また、外側部品１３０の側壁部３０ａにおけるボルト挿通孔３１ａが形成されている部分（ボルト装着部）は、断面形状が略三角形形状となっている。このため、締付ボルトＢｔに対して締付ナットＮｔを締め付けたとき、外側部品１３０には、側壁部３０ａの下端部が突出部に近づく方向に回転モーメントが発生する。このため、外側部品１３０の下端部が内側部品１１０の下端部の下側に滑り込みやすい。
【００９１】
ただし、外側部品１３０の側壁部３０ａにおけるボルト挿通孔３１ａが形成されている部分（ボルト装着部）の断面形状は、略三角形形状に限らず、略長方形形状となっていてもよい。
【００９２】
また、側壁部３０ａが、内側面の傾斜角の異なる２つの傾斜部３１および３２を有することは、本発明の取付器具１００を構成する第１の外側部品１３０に必須のものではない。従って、側壁部３０ａは、内側面として１つの傾斜面を有するものでもよい。さらに、第１傾斜部３１はその内側面が基準横面に対して垂直な平面であってもよく、また、第２傾斜部３２の内側面は、曲面形状を含まない傾斜した平面でもよい。さらに、基準横面に対する第２傾斜部３２の内側面の傾斜角は必ずしも４０度以下である必要はなく、４０度を超えるものであってもよい。
【００９３】
（第１の外側部品１３０の底面部３０ｂ）
底面部３０ｂは、側壁部３０ａの内側に湾曲した第２傾斜部３２の先端から側壁部３０ａの外側に向かって延びる長方形形状を有する板状部分である。この底面部３０ｂは、取付器具１００の基準横面に対して内側が外側よりも若干高くなるように傾斜しているが、底面部３０ｂの構造は、これに限定されるものではない。
【００９４】
＜第２の外側部品１４０＞
図８は、図３Ａの分解斜視図における第２の外側部品１４０の具体的な構造を説明するための平面図であり、図８（ａ）〜図８（ｅ）はそれぞれ第２の内側部品１４０を図３ＡにおけるＡ方向〜Ｅ方向から見た構造を示す。
【００９５】
第２の外側部品１４０は、第２の内側部品１２０の側壁部２０ａに対向する側壁部４０ａと、側壁部４０ａを支持する底面部４０ｂとを有する。
【００９６】
（第２の外側部品１４０の側壁部４０ａ）
側壁部４０ａは、上述した基準横面に対する内側面の傾斜が急である第１傾斜部４１と、基準横面に対する内側面の傾斜が緩い第２傾斜部４２とを有する。ここで、側壁部４０ａの内側面（第２の内側部品１２０と当接する当接面）は、側壁部４０ａの表面のうちの上記の部品組立状態で取付器具１００の内側を向く傾斜面であり、第２の外側部品１４０の端部（締め付け手段１００ａから遠い端部）に近いほど内側に位置する。第１傾斜部４１の内側面は、第２の外側部品１４０の端部（締め付け手段１００ａから遠い端部）から遠い遠位傾斜面であって、平面形状を有する。第２傾斜部４２の内側面は、第２の外側部品１４０の端部（締め付け手段１００ａから遠い端部）に近い近位傾斜面であって、突出部の内側方向および突出部の突出する方向を含む面（図８の紙面に平行な面）内で凹状に湾曲した曲面形状（凹状の湾曲面）を有する。ここで、基準横面に対する第２傾斜部４２の内側面の傾斜角度は、４０度以下であり、望ましくは、３５度以下である。第１傾斜部４１には、締め付け手段１００ａを構成する締付ボルトＢｔを通すための対向する一対の丸孔（ボルト挿通孔）４１ａが形成されている。
【００９７】
また、外側部品１４０の側壁部４０ａにおけるボルト挿通孔４１ａが形成されている部分（ボルト装着部）は、断面形状が略三角形形状となっている。このため、締付ボルトＢｔに対して締付ナットＮｔを締め付けたとき、外側部品１４０には、側壁部４０ａの下端部が突出部に近づく方向に回転モーメントが発生する。このため、外側部品１４０の下端部が内側部品１２０の下端部の下側に滑り込みやすい。
【００９８】
ただし、外側部品１４０の側壁部４０ａにおけるボルト挿通孔４１ａが形成されている部分（ボルト装着部）の断面形状は、略三角形形状に限らず、略長方形形状となっていてもよい。
【００９９】
また、側壁部４０ａが、内側面の傾斜角の異なる２つの傾斜部４１および４２を有することは、本発明の取付器具１００を構成する第２の外側部品１４０に必須のものではない。従って、側壁部４０ａは、内側面として１つの傾斜面を有するものでもよい。さらに、第１傾斜部４１はその内側面が基準横面に対して垂直な平面であってもよく、また、第２傾斜部４２の内側面は、曲面形状を含まない傾斜した平面でもよい。さらに、基準横面に対する第２傾斜部４２の内側面の傾斜角は必ずしも４０度以下である必要はなく、４０度を超えるものであってもよい。
【０１００】
（第２の外側部品１４０の底面部４０ｂ）
底面部４０ｂは、側壁部４０ａの内側に湾曲した第２傾斜部４２の先端から側壁部４０ａの外側に向かって延びる長方形形状を有する板状部分である。この底面部４０ｂは、取付器具１００の基準横面に対して内側が外側よりも若干高くなるように傾斜しているが、底面部４０ｂの構造は、これに限定されるものではない。
【０１０１】
なお、第１の内側部品１１０、第２の内側部品１２０には、締付ボルトＢｔの挿通孔として長孔が形成され、第１の外側部品１３０、第２の外側部品１４０には、締付ボルトＢｔの挿通孔として丸孔が形成されているが、第１の内側部品１１０、第２の内側部品１２０には、締付ボルトＢｔの挿通孔として丸孔が形成され、第１の外側部品１３０、第２の外側部品１４０には、締付ボルトＢｔの挿通孔として長孔が形成されていてもよく、あるいは、これらの４つの部品のすべてにボルト挿通孔として長孔が形成されていてもよい。
【０１０２】
なお、第１の内側部品１１０、第２の内側部品１２０、第１の外側部品１３０、および第２の外側部品１４０の４つの部品の材料は、例えば、アルミ、鉄、ステンレスなどの金属材料であってもよいし、樹脂材料であってもよい。また、これらの４つの部品は、押し出し成型により形成されたものでもよいが、押し出し成型により形成する場合は、第１の内側部品１１０の係止突起１５ａ、突起片１４およびボルト挿通長孔１１ｂ、第２の内側部品１２０のボルト挿通長孔２１ｂおよび係合孔２３ａ、第１の外側部品１３０のボルト挿通孔３１ａ、第２の外側部品１４０のボルト挿通孔４１ａは、押し出し成型後の切削加工により形成される。さらに、これらの４つの部品は、押し出し成型に限らず、鍛造やプレス加工などの他の方法で形成してもよい。
２．取付器具１００の使用方法
次に、実施形態１の取付器具１００の使用方法を、図３、図９〜図１３を用いて説明する。
【０１０３】
図９は、太陽電池モジュールＳが建造物Ｃの嵌合式立平葺屋根Ｒａに設置されている状態を説明するための図であり、図９（ａ）は、建造物Ｃの嵌合式立平葺屋根Ｒａの全体を示す斜視図、図９（ｂ）は、図９（ａ）におけるＢ９部分を拡大して示す平面図であり、図９（ｃ）および図９（ｄ）はそれぞれ、図９（ｂ）におけるＣ９部分およびＤ９部分で用いられる押え金具１０１ａおよび１０１ｂを示す斜視図である。
【０１０４】
ただし、図９（ａ）では、嵌合式立平葺屋根Ｒａの凹凸は省略し、図３では、ソーラーパネルＳおよび押え金具１０１ａを透視して示している。
【０１０５】
実施形態１の取付器具１００は、ソーラーパネルＳを架台などを用いずに嵌合式立平葺屋根Ｒａあるいは巻きハゼ立平葺屋根Ｒｂに直接取り付けるのに用いられる。この取付器具１００には、嵌合式立平葺屋根Ｒａの端部（例えば、図９（ｂ）のＣ９部分）では、嵌合式立平葺屋根Ｒａの傾斜方向Ｔの端部に位置するソーラーパネルＳの端部のみが載置され、嵌合式立平葺屋根Ｒａの端部以外の部分（例えば、図９（ｂ）のＤ９部分）では、嵌合式立平葺屋根Ｒａの傾斜方向Ｔに配列されている隣接するソーラーパネルＳの一方の端部とその他方の端部とが載置される。
【０１０６】
このため、取付器具１００を折板屋根Ｒの端部以外の部分で使用する場合と、取付器具１００を折板屋根Ｒの端部で使用する場合とでは、ソーラーパネルＳを取付器具１００の第１の内側部品１１０に押さえつける押え金具として異なる構造のものが用いられる。
【０１０７】
具体的には、取付器具１００を嵌合式立平葺屋根Ｒａの端部で使用する場合は、押え金具として図３、図９（ｃ）に示される逆Ｌ字型の押え金具１０１ａが用いられ、取付器具１００を嵌合式立平葺屋根Ｒａの端部以外の部分で使用する場合は、押え金具として図９（ｄ）に示される平板状の押え金具１０１ｂが用いられる。
【０１０８】
次に、取付器具１００を用いてソーラーパネルＳを折板屋根Ｒとしてタイプの異なる２つの立平葺屋根（嵌合式の立平葺屋根Ｒａと巻きハゼ立平葺屋根Ｒｂ）に取り付ける作業を説明する。
【０１０９】
＜取付器具１００の嵌合式立平葺屋根Ｒａへの取付＞
図１０は、図１に示す取付器具１００が嵌合式立平葺屋根Ｒａに取り付けられる様子を説明するための平面図であり、図１０（ａ）は、取付器具１００が嵌合式立平葺屋根Ｒａ上に配置された状態を示し、図１０（ｂ）は、取付器具１００が嵌合式立平葺屋根Ｒａに固定された状態を示す。
【０１１０】
まず、嵌合式立平葺屋根Ｒａの決められた複数の位置の各々に取付器具１００を固定する。なお、これらの取付器具１００の固定は、作業性を考慮して、図１０（ａ）で示すように、第１の内側部品１１０、第１の内側部品１２０、第１の外側部品１３０、および第２の外側部品１４０を締結ボルトＢｔおよび締結ナットＮｔなどで仮止めした状態で行ってもよい。
【０１１１】
具体的には、第１の外側部品１３０のボルト挿通孔３１ａ、第１の内側部品１１０のボルト挿通長孔１１ｂ、第２の内側部品１２０のボルト挿通長孔２１ｂ、および第２の外側部品１４０のボルト挿通孔４１ａに締付ボルトＢｔを挿入し、締付ボルトＢｔに平座金Ｗ、スプリングワッシャーＳｗ、および締付ナットＮｔを装着し、第１の内側部品１１０と第２の内側部品１２０との間に嵌合部Ｈａが挿入可能な程度の間隔を空けてこれらの部品１１０、１２０、１３０、１４０を仮止めする。このように取付器具１００の４つの部品を仮止めした状態で、第１の内側部品１１０と第２の内側部品１２０との間に嵌合部Ｈａが挿入されるように取付器具１００を嵌合式立平葺屋根Ｒａ上に配置する（図１０（ａ））。その後、締付ナットＮｔを締付ボルトＢｔに対して締め付けることにより、第１の内側部品１１０の先端係合爪１１ａと第２の内側部品１２０の先端係合爪２１ａとが嵌合部Ｈａの首部Ｈａ２を挟持することにより、首部Ｈａ２に対する幅方向の締付が行われる。また、同時に、第１の内側部品１１０の先端係合爪１１ａと第２の内側部品１２０の先端係合爪２１ａとが嵌合部Ｈａの頭部Ｈａ１を押し上げ、かつ第１の外側部品１３０の底面部（先端部）３０ｂおよび第２の外側部品１４０の底面部（先端部）４０ｂが嵌合式立平葺屋根Ｒａの本体Ｂａの表面を押すことにより、首部Ｈａ２に対する高さ方向の締付が行われる。これにより取付器具１００が嵌合式立平葺屋根Ｒａに固定される（図１０（ｂ））。
【０１１２】
（首部Ｈａ２の締付のメカニズム）
以下、取付器具１００を嵌合式立平葺屋根Ｒａ上に配置した状態で締付ナットＮｔを締付ボルトＢｔに締め付ける作業により、取付器具１００を構成する４つの部品１１０、１２０、１３０、１４０が、首部Ｈａ２を幅方向に締め付け、かつ首部Ｈａ２を高さ方向に締め付けるメカニズムを説明する。
【０１１３】
図１１は、図２に示す取付器具１００が嵌合式立平葺屋根Ｒａの嵌合部Ｈａに固定されるメカニズムを説明するための図であり、図１１（ａ）〜図１１（ｄ）は、第１、第２の内側部品１１０、１２０および第１、第２の外側部品１３０、１４０がそれらの締め付けにより移動する様子を段階的に示す。なお、図１１（ａ）〜図１１（ｄ）では、図４（ｂ）のＸ−Ｘ線断面が示されている。
【０１１４】
図１１（ａ）に示すように、４つの部品（第１、第２の内側部品１１０、１２０および第１、第２の外側部品１３０、１４０）が締付ボルトＢｔおよび締付ナットＮｔにより仮止めされている取付器具１００を嵌合式立平葺屋根Ｒａに、嵌合部Ｈａが一対の内側部品１１０および１２０の間に位置するように配置した状態で、締付ボルトＢｔに螺合している締付ナットＮｔを締め付けつける動作を開始する。これにより、図１１（ｂ）に示すように、一対の外側部品１３０、１４０およびそれらの内側に位置する一対の内側部品１１０、１２０は、一対の内側部品１１０、１２０の先端係合爪１１ａ、２１ａが嵌合部Ｈａの首部Ｈａ２に当接するまで、これら４つの部品の姿勢を変えることなく内側に平行移動する。このような４つの部品の平行移動により、一方の内側部品１１０のガイド溝１２ａに他方の内側部品１２０の上面基部２２の先端がガイド片として挿入される。一対の内側部品１１０、１２０の先端係合爪１１ａ、２１ａが嵌合部Ｈａの首部Ｈａ２に当接しているため、一対の内側部品１１０、１２０は、一対の外側部品１３０、１４０により挟まれても、内側部品１１０、１２０はこれらが近づく方向（締付ボルトＢｔに対する締付ナットＮｔの締め付け方向）には移動しなくなる。また、一方の内側部品１１０のガイド溝に他方の内側部品１２０のガイド片が挿入されているので、両方の内側部品１１０、１２０は内側に倒れこむことが抑制される。
【０１１５】
さらに、一対の内側部品１１０、１２０の先端係合爪１１ａ、２１ａが嵌合部Ｈａの首部Ｈａ２に当接し、かつ一方の内側部品１１０のガイド溝１２ａに他方の内側部品１２０の上面基部２２の先端がガイド片として挿入された状態では、締付ナットＮｔを締め付けても、一対の内側部品１１０、１２０は移動しないので、図１１（ｃ）に示すように、一対の外側部品１３０、１４０がそれぞれ、一対の内側部品１１０、１２０の先端湾曲部１１ｃ、２１ｃに当接する部分を支点として内側に倒れ込み、一対の外側部品１３０、１４０の内側面は、上端部と下端部との２箇所で、対応する一対の内側部品１１０、１２０の外側面に当接する。
【０１１６】
さらに、締付ナットＮｔを締め付けると、一対の外側部品１３０、１４０が一対の内側部品１１０、１２０に対して内側方向に移動する力を与えるが、一対の内側部品１１０、１２０は嵌合部Ｈａの首部Ｈａ２に当接しているため、これ以上内側方向に移動することはできない。しかし、一対の外側部品１３０、１４０は一対の内側部品１１０、１２０と当接する面が傾斜面を有しているため、一対の内側部品１１０、１２０に対して内側方向に移動する力の一部は、外側部品の傾斜面により突出部の突出する方向（首部の高さ方向）の力に変換される。そのため、図１１（ｄ）に示すように、一対の内側部品１１０、１２０の先端湾曲部１１ｃ、２１ｃは首部Ｈａ２の高さ方向に押し上げられることになる。これにより、一対の内側部品１１０、１２０の先端湾曲部１１ｃ、２１ｃは首部Ｈａ２の高さ方向に移動し、頭部に当接する。上述の説明において、締め付け手段の締め付けにおいて、内側部材は内側方向に移動し突出部の首部に当接した後に、首部の高さ方向に移動する場合を示しているが、本発明は内側方向の移動と首部の高さ方向の移動が同時に行われる場合も含まれる。
【０１１７】
さらに、一対の外側部品１３０、１４０はそれぞれ、対応する内側部品１１０、１２０と当接する上端部を中心として回転しようとする力が働く。この回転しようとする力の働きにより、一対の外側部品１３０、１４０の内側面の下端部が、先端湾曲部１１ｃ、２１ｃと嵌合式立平葺屋根Ｒａの屋根本体Ｂａの表面との間に滑り込ませる効果をもたらす。この効果により、一対の内側部品１１０、１２０の先端湾曲部１１ｃ、２１ｃを首部の高さ方向にさらに押し上げられる。
【０１１８】
一対の内側部品１１０、１２０の先端湾曲部１１ｃ、２１ｃが頭部に当接した後は、一対の内側部品１１０、１２０の先端湾曲部１１ｃ、２１ｃは、それ以上首部の幅方向（内側方向）および首部の高さ方向（突出部の突出する方向）どちらにも移動できないため強固に固定された状態となる。
【０１１９】
以上により、取付器具１００は、支持部材の嵌合部を内側部品によって首部の幅方向（内側方向）に締め付けれるとともに、首部の高さ方向にも締め付けることが可能となる。
【０１２０】
この実施形態１の取付器具１００では、一対の外側部品１３０、１４０の内側面の下端部は、嵌合式立平葺屋根Ｒａの屋根本体Ｂａの表面に対する傾斜が緩い第２傾斜部３２、４２となっており、さらに、一対の内側部品１１０、１２０の先端湾曲部１１ｃ、２１ｃが一対の外側部品１３０、１４０の内側面に接触するので、一対の外側部品１３０、１４０の内側面の下端部が一対の内側部品１１０、１２０の先端湾曲部１１ｃ、２１ｃの下側に滑り込む力が小さくても、一対の内側部品１１０、１２０の先端湾曲部１１ｃ、２１ｃを押し上げるための大きな力を発生させることができる。その結果、これらの４つの部品による首部Ｈａ２の高さ方向の締付強度を大きなものとできる。
【０１２１】
次に、取付器具１００を嵌合式立平葺屋根Ｒａとはタイプの異なる巻きハゼ立平葺屋根Ｒｂ上に配置した状態で締付ナットＮｔを締付ボルトＢｔに締め付ける作業により、取付器具１００を構成する４つの部品１１０、１２０、１３０、１４０が、嵌合式立平葺屋根Ｒａの嵌合部Ｈａの首部Ｈａ２とはその幅および高さの異なる巻きハゼ立平葺屋根Ｒｂの巻きハゼ部Ｈｂの首部Ｈｂ２に対して、幅方向の締め付けおよび高さ方向に締め付けを行うメカニズムを説明する。
【０１２２】
＜取付器具１００の巻きハゼ立平葺屋根Ｒｂへの取付＞
図１２は、図１に示す取付器具１００が巻きハゼ立平葺屋根Ｒｂに取り付けられる様子を説明するための平面図であり、図１２（ａ）は、取付器具１００が巻きハゼ立平葺屋根Ｒｂ上に配置された状態を示し、図１２（ｂ）は、取付器具１００が巻きハゼ立平葺屋根Ｒｂ上に固定された状態を示す。
【０１２３】
取付器具１００を巻きハゼ立平葺屋根Ｒｂに取り付ける作業も、取付器具１００を嵌合式立平葺屋根Ｒａに取り付ける作業と同じであり、仮止めした状態の取付器具１００を第１の内側部品１１０と第２の内側部品１２０との間に巻きハゼＨｂが挿入されるように取付器具１００を巻きハゼ立平葺屋根Ｒｂ上に配置する（図１２（ａ））。その後、締付ボルトＢｔに装着された締付ナットＮｔを締め付けると、一対の内側部品１１０および１２０が首部Ｈｂ２を挟持することにより首部Ｈｂ２に対する幅方向の締付が行われる。また、同時に、一対の内側部品１１０、１２０の先端係合爪１１ａ、２１ａが巻きハゼ部Ｈｂの頭部Ｈｂ１を押し上げ、かつ一対の外側部品１３０、１４０の底面部（先端部）３０ｂ、４０ｂが巻きハゼ立平葺屋根Ｒｂの屋根本体Ｂｂの表面を押すことにより、首部Ｈｂ２に対する高さ方向の締付が行われる。これにより取付器具１００が巻きハゼ立平葺屋根Ｒｂに固定される（図１２（ｂ））。
【０１２４】
（首部Ｈｂ２の締付のメカニズム）
以下、取付器具１００を巻きハゼ立平葺屋根Ｒｂ上に配置した状態で締付ナットＮｔを締付ボルトＢｔに締め付ける作業により、取付器具１００を構成する４つの部品１１０、１２０、１３０、１４０により、巻きハゼＨｂの首部Ｈｂ２が幅方向に締め付けられ、かつ巻きハゼＨｂの首部Ｈｂ２が高さ方向に締め付けられるメカニズムを説明する。
【０１２５】
図１３は、図２に示す取付器具１００が立平葺屋根Ｒｂのハゼ部Ｈｂに固定されるメカニズムを説明するための図であり、図１３（ａ）〜図１３（ｄ）は、第１、第２の内側部品１１０、１２０および第１、第２の外側部品１３０、１４０がこれらの締結により移動する様子を段階的に示す。なお、図１３（ａ）〜図１３（ｄ）では、図４（ｂ）のＸ−Ｘ線断面が示されている。
【０１２６】
４つの部品が締め付け手段１００ａにより仮止めされている取付器具１００を巻きハゼ立平葺屋根Ｒｂに配置する作業（図１３（ａ））は、嵌合式立平葺屋根Ｒａに取付器具１００を取り付ける場合の作業（図１１（ａ））と全く同じである。
【０１２７】
この状態で、締付ボルトＢｔに螺合している締付ナットＮｔを締め付けると、図１３（ｂ）に示すように、一対の内側部品１１０、１２０は、一対の外側部品１３０、１４０に挟まれて一対の内側部品１１０、１２０の先端係合爪１１ａ、２１ａが巻きハゼＨｂの首部Ｈｂ２に当接するまで、これら４つの部品の姿勢を変えることなく内側に平行移動する。
【０１２８】
従って、図１３（ｂ）に示すように、先端係合爪１１ａ、２１ａは、嵌合部Ｈａの首部Ｈａ２の幅ｗ１より狭い幅ｗ２を有する巻きハゼＨｂの首部Ｈｂ２を挟持することができる。このため、取付器具１００では、嵌合式立平葺屋根Ｒａの嵌合部Ｈａの首部Ｈａ２に対する幅方向の締付と同様に、巻きハゼ立平葺屋根Ｒｂの巻きハゼ部Ｈｂの首部Ｈｂ２に対する幅方向の締付が行われる。
【０１２９】
さらに、締付ナットＮｔを締め付けると、図１３（ｃ）に示すように、嵌合式立平葺屋根Ｒａの場合と同様に、一対の外側部品１３０、１４０が内側に傾倒して、対向する内側部品１１０、１２０と２点で接触することとなる。
【０１３０】
この状態でさらに締付ナットＮｔの締め付けを行うことにより、図１３（ｄ）に示すように、一対の外側部品１３０、１４０の内側面の下端部が先端湾曲部１１ｃ、２１ｃと巻きハゼ立平葺屋根Ｒｂの屋根本体Ｂｂの表面との間に滑り込むことにより、一対の内側部品１１０、１２０の先端湾曲部１１ｃ、２１ｃを押し上げる。先端係合爪１１ａ、２１ａは、嵌合部Ｈａの首部Ｈａ２の高さｈａ１とは異なる高さｈｂ１を有する巻きハゼＨｂの首部Ｈｂ２を押し上げることができる。これにより、取付器具１００では、首部Ｈｂに対する高さ方向の締付が行われる。
【０１３１】
このように、本実施形態１では、ソーラーパネルＳを立平葺屋根に取り付けるための取付器具１００において、対向する内側部品１１０、１２０および対向する外側部品１３０、１４０を備え、締め付け手段１００ａにより外側部品１３０、１４０を内側方向に締め付けることにより、対向する内側部品１１０、１２０が突出部の首部を挟持することにより首部の幅方向の締付が行われ、かつ、対向する内側部品１１０、１２０が突出部の頭部を押し上げ、対向する外側部品１３０、１４０が立平葺屋根本体の表面を押し付けることにより首部の高さ方向の締付が行われるようにしている。
【０１３２】
これにより、突出部の首部の幅および高さが異なる種々のタイプの立平葺屋根に対して取付器具１００を強固に固定することが可能となる。
【０１３３】
その結果、大きく２タイプ（「巻きハゼ」と「嵌合式」）が存在し、しかも、同じタイプであっても製品毎に突出部の高さ、首部の幅および高さが異なる立平葺屋根に対しても一仕様の取付器具１００でソーラーパネルの取り付けが可能となる。これにより、折板屋根の製品毎にその屋根の仕様に応じた取付器具を準備する必要がなくなる。従って、取付器具の販売・在庫・施工管理の面で煩雑になる従来の課題を解消することができる。
【０１３４】
実施形態１の取付器具１００では、内側部品１１０、１２０および外側部品１３０、１４０が締付ボルトＢｔおよび締付ナットＮｔにより締め付けられたとき、対向する内側部品１１０、１２０により首部に対する幅方向の締付が行われ、さらに、対向する内側部品１１０、１２０と対向する外側部品１３０、１４０とで首部に対する高さ方向に締め付けが行われるので、各部品が立平葺屋根の突出部の首部に対して傾くことなく首部に対して左右均等に締付力がかかる。このため、突出部に対する取付器具１００の固定を強固なものとすることができる。
【０１３５】
実施形態１の取付器具１００では、一対の内側部品１１０、１２０の下端部の外面は凸状の湾曲面となっているので、一対の外側部品１３０、１４０の底面部３０ｂ、４０ｂの内側端部が一対の内側部品１１０、１２０の下端部と立平葺屋根の本体表面との間に滑り込みやすい。
【０１３６】
さらに、一対の外側部品１３０、１４０の側壁部３０ａ、４０ａは、内側面の傾斜角が異なる第１傾斜部３１、４１と第２傾斜部３２、４２とを有し、側壁部３０ａ、４０ａの下部側の第２傾斜部３２、４２では、内側面の傾斜角が立平葺屋根本体の表面に対して緩やかであり、側壁部３０ａ、４０ａの上部側の第１傾斜部３１、４１では、内側面の傾斜角が立平葺屋根の表面に対して急である。このため、一対の外側部品１３０、１４０の底面部３０ｂ、４０ｂの内側端部が一対の内側部品１１０、１２０の下端部と立平葺屋根本体の表面との間により滑り込みやすく、取付器具１００の上部側では、取付器具１００を構成する４つの部品がその締め付け方向に広がらないようにできる。
【０１３７】
さらには、外側部品１３０、１４０の側壁部３０ａ、４０ａの内側面を立平葺屋根の本体表面の鉛直方向に対して傾斜させることで、外側部品１３０、１４０の内側面に内側部品１１０、１２０の外側面が当接する状態では、締付ナットＮｔを締め付ければ締め付けただけ、内側部品１１０、１２０を立平葺屋根の高さ方向に移動させることができ、取付器具１００は突出部の首部の長い屋根にも対応可能となっている。
【０１３８】
実施形態１の取付器具１００では、内側部品１１０がその上部内面から突出する部品係合片１２を有し、部品係合片１２と上面基部１３との間には、内側部品１２０の上面基部２２がガイド片として挿入されるガイド溝１２ａが形成されているので、内側部品１１０のガイド溝１２ａに内側部品１２０の上面基部２２が挿入された状態では、一対の内側部品１１０、１２０の上面基部１３、２２が平行に移動することとなる。これにより、一対の内側部品１１０、１２０の側壁本体１１、２１の傾斜が立平葺屋根の鉛直方向に対して左右対称でなくなるのを回避して、一対の内側部品１１０、１２０による強い挟持力を発揮させることができる。
【０１３９】
実施形態１の取付器具１００では、外側部品１３０、１４０の側壁部３０ａ、４０ａにおけるボルト挿通孔３１ａ、４１ａが形成されている部分（ボルト装着部）は、断面形状が略三角形形状となっており、外側部品１３０のボルト装着部の外面と、外側部品１４０のナット装着部の外面とがハの字形状をなすように傾斜している。このため、締付ボルトＢｔに対して締付ナットＮｔを締め付けたとき、外側部品１３０、１４０には、それぞれの側壁部３０ａ、４０ａの下端部が突出部に近づく方向に回転モーメントが発生する。このため、外側部品１３０、１４０の下端部が一対の内側部品１１０、１２０の下端部の下側に滑り込みやすい。
【０１４０】
さらに、実施形態１の取付器具１００では、第１の内側部品１１０は、その上面基部１３の側縁から突出する突起片１４を有し、第２の内側部品１２０は、その上面基部２２の側縁から起立する線状突出片２３を有している。一方の内側部品１１０の突起片１４が、他方の内側部品１２０の線状突出片２３に形成された嵌合孔２３ａに嵌合されることで、内側部品１１０、１２０および外側部品１３０、１４０が締め付けられたときに、内側部品１１０、１２０が立平葺屋根の表面上での所定の姿勢を保ちつつ立平葺屋根の表面に平行に移動することとなり、内側部品１１０、１２０による大きな挟持力を発生させることができ、さらに、横方向（締付ボルトＢｔの軸方向）の力に対する取付器具１００の強度を高めることができる。さらに、仮止め時には第１の内側部品１１０の突起片１４を、第２の内側部品１２０の線状突出片２３の嵌合孔２３ａに挿入しておくことで、対向する内側部品１１０、１２０の一方が他方に対して回転しないようにすることができるため、持ち運びなどが簡単になる。
【０１４１】
さらに、内側部品１１０のパネル載置台１５にはその外側縁から上方に突出する係止突起１５ａが形成されているので、パネル載置台１５、１６にソーラーパネルＳを載置する際にソーラーパネルＳの側面を係止突起１５ａに当ててソーラーパネルＳを簡単に位置決めすることができる。
【０１４２】
また、外側部品１１０の外側面の上部に形成された線状突出片３１ｂ１、３１ｂ２は、締付ボルトＢｔの頭部を収容するボルト装着溝１３ａが形成されているので、締付ボルトＢｔ、締付ナットＮｔの締結時における締付ボルトＢｔの供回りを防止することができる。
【０１４３】
〔実施形態２〕
１．取付器具２００の構造
図１４は、本発明の実施形態２による取付器具２００を説明するための図であり、図１４（ａ）は、取付器具２００の外観を示す平面図である。
【０１４４】
この実施形態２の取付器具２００は、実施形態１の取付器具１００における第１の内側部品１１０および第２の内側部品１２０に代わる第１の内側部品２１０および第２の内側部品２２０を備えたものであり、その他の構成は実施形態１の取付器具１００におけるものと同一である。
【０１４５】
図１５は、図１４に示す取付器具２００における第１の内側部品２１０の具体的な構造を説明するための平面図であり、図１５（ａ）〜図１５（ｅ）はそれぞれ、図１４（ａ）に示す第１の内側部品２１０を図３ＡのＡ方向〜Ｅ方向に相当する方向から見た構造を示す。
【０１４６】
取付器具２００の第１の内側部品２１０は、実施形態１の取付器具１００の第１の内側部品１１０における側面部１０ａおよび上面部１０ｂに対応する側面部２１０ａおよび上面部２１０ｂを有する。ただし、第１の内側部品２１０は、実施形態１の第１の内側部品１１０において、側壁本体１１の上端部に形成されている部品係合片１２に代えて、側壁本体１１の中間部に形成された部品係合片２１２を備え、上面基部１３の内側縁から延びる突起片１４を取り除いたものである。その他の構成は、取付器具１００の第１の内側部品１１０におけるものと同一である。
【０１４７】
図１６は、図１４に示す取付器具２００における第２の内側部品２２０の具体的な構造を説明するための平面図であり、図１６（ａ）〜図１６（ｅ）はそれぞれ、図１４（ａ）に示す第２の内側部品２２０を図３ＡのＡ方向〜Ｅ方向に相当する方向から見た構造を示す。
【０１４８】
取付器具２００の第２の内側部品２２０は、実施形態１の取付器具１００の第２の内側部品１２０における側面部２０ａおよび上面部２０ｂに対応する側面部２２０ａおよび上面部２２０ｂを有する。ただし、第２の内側部品２２０は、実施形態１の第２の内側部品１２０において、側壁本体２１の中間部の内面から突出する係合片２２２を備え、上面基部２２の外側縁部から斜めに延びる線状突出片２３を取り除いたものであり、その他の構成は、取付器具１００の第２の内側部品１２０におけるものと同一である。
【０１４９】
ここで、取付器具２００は、第２の内側部品２２０の上面基部２２および係合片２２２が、第１の内側部品２１０の上面基部１３と第１の内側部品２１０の係合片２１２との間に嵌合することにより、第１の内側部品２１０の上面基部１３と第２の内側部品２２０の上面基部２２とが平行になるように両内側部品２１０および２２０の姿勢が維持された状態で、第１の内側部品２１０と第２の内側部品２２０とが近接あるいは離反可能となるように構成されている。
２．取付器具２００の使用方法
実施形態２の取付器具２００の使用方法は、実施形態１の取付器具１００と同一であるが、第１の内側部品２１０の上面基部１３と第２の内側部品２２０の上面基部２２とが平行になるように両内側部品２１０および２２０の姿勢が維持されるメカニズムが、実施形態１の取付器具１００とは異なるので、締付ナットＮｔを締付ボルトＢｔに締め付けたときの４つの部品２１０、２２０、１３０、１４０の動きを、取付器具２００を嵌合式立平葺屋根Ｒａに取り付ける場合を挙げて説明する。
【０１５０】
図１４（ｂ）〜図１４（ｅ）は、第１、第２の内側部品２１０、２２０および第１、第２の外側部品１３０、１４０がこれらの締結により移動する様子を段階的に示す断面図である。なお、図１４（ｂ）〜図１４（ｅ）では、図４（ｂ）のＸ−Ｘ線に相当する位置の断面が示されている。
【０１５１】
４つの部品が締め付け手段１００ａにより仮止めされている取付器具２００を嵌合式立平葺屋根Ｒａ上に配置した状態（図１４（ｂ））で、締付ボルトＢｔに螺合している締付ナットＮｔを締め付けると、図１４（ｃ）に示すように、対向する内側部品２１０、２２０は、対向する外側部品１３０、１４０に挟まれて内側部品２１０、２２０の先端係合爪１１ａ、２１ａが嵌合式立平葺屋根Ｈａの嵌合部Ｈａの首部Ｈａ２に当接するまで内側方向に移動する。この移動の際、第２の内側部品２２０の上面基部２２および係合片２２２が、第１の内側部品２１０の上面基部１３と第１の内側部品２１０の係合片２１２との間に嵌合することにより、第１の内側部品２１０および第２の内側部品２２０は一定の姿勢を維持したまま平行移動することを可能とする。
【０１５２】
この状態では、図１４（ｃ）に示すように、先端係合爪１１ａ、２１ａは、嵌合部Ｈａの首部Ｈａ２を挟持することにより、嵌合部Ｈａの首部Ｈａ２に対する幅方向の締付が行われる。
【０１５３】
さらに、締付ナットＮｔを締め付けると、図１４（ｄ）に示すように、一対の外側部品１２０、１４０の上端部が内側に傾倒して、対向する内側部品２１０、２２０と２点で接触することとなる。
【０１５４】
この状態でさらに締付ナットＮｔの締め付けを行うことにより、図１４（ｅ）に示すように、外側部品１３０、１４０の内側面が傾斜面を有しているため、内側部品１１０、１２０に首部Ｈａ２の高さ方向に移動する力を与える。それにより、内側部品１１０、１２０は首部Ｈａ２の高さ方向に移動して頭部に当接することで首部Ｈａ２に対する高さ方向の締付が行われる。また、一対の外側部品１２０、１４０の上端部を中心として回転しようとする力の働きにより、一対の外側部品１３０、１４０の内側面の下端部が、先端湾曲部１１ｃ、２１ｃと嵌合式立平葺屋根Ｒａの屋根本体Ｂａの表面との間に滑り込む。これにより、一対の内側部品１１０、１２０の先端湾曲部１１ｃ、２１ｃを首部の高さ方向にさらに押し上げる効果が得られる。
【０１５５】
また、取付器具２００を巻きハゼ立平葺屋根Ｒｂに取り付ける場合も、取付器具２００を嵌合式ハゼ立平葺屋根Ｒａに取り付ける場合と同様に、巻きハゼ立平葺屋根Ｒｂの巻きハゼ部Ｈｂの首部Ｈｂ２に対して幅方向の締付および高さ方向の締付が行われる。
【０１５６】
このように、実施形態２の取付器具２００は、突出部の首部の幅および高さが異なる種々のタイプの立平葺屋根に対して強固に固定することが可能なものである。
【０１５７】
〔実施形態３〕
１．取付器具３００の構造
図１７は、本発明の実施形態３による取付器具３００を説明するための図であり、図１７（ａ）は、取付器具３００の外観を示す平面図、図１７（ｂ）〜図１７（ｅ）は、第１、第２の内側部品１１０、１２０および外側部品１３０がこれらの締結により移動する様子を段階的に示す断面図である。なお、図１７（ｂ）〜図１７（ｅ）では、図４（ｂ）のＸ−Ｘ線に相当する位置の断面が示されている。
【０１５８】
この実施形態３の取付器具３００は、実施形態１の取付器具１００における対向する２つの外側部品１３０および１４０を、１つの外側部品１３０に置き換えたものであり、その他の構成は実施形態１の取付器具１００におけるものと同一である。
２．取付器具３００の使用方法
実施形態３の取付器具３００の使用方法は、実施形態１の取付器具１００と同一であるが、対向する２つの内側部品１１０、１２０と１つの外側部品１３０とにより突出部の首部を締め付ける動作が実施形態１のものと異なるので、締付ナットＮｔを締付ボルトＢｔに締め付けたときの３つの部品１１０、１２０、１３０の動きを、取付器具３００を嵌合式立平葺屋根Ｒａに取り付ける場合を挙げて説明する。
【０１５９】
第１、第２の内側部品１１０、１２０と１つの外側部品１３０とが締め付け手段１００ａにより仮止めされている取付器具３００を嵌合式立平葺屋根Ｒａ上に配置した状態（図１７（ｂ））で、締付ボルトＢｔおよび締付ナットＮｔにより外側部品１３０を内側方向に締め付けると、図１７（ｃ）に示すように、第１の外側部品１３０と第２の内側部品１２０とが締付ボルトＢｔおよび締付ナットＮｔにより引き寄せられ、第１、第２の内側部品１１０、１２０の先端係合爪１１ａ、２１ａが嵌合式立平葺屋根Ｈａの嵌合部Ｈａの首部Ｈａ２に当接するまで移動する。この移動の際、第２の内側部品１２０の上面基部２２が第１の内側部品１１０のガイド溝１２ａに挿入されることにより、これら３つの部品はその姿勢を変えることなく平行移動する。
【０１６０】
この状態では、図１７（ｃ）に示すように、先端係合爪１１ａ、２１ａが嵌合部Ｈａの首部Ｈａ２を挟持する。
【０１６１】
さらに、締付ナットＮｔを締め付けると、図１７（ｄ）に示すように、１つの外側部品１３０が内側に傾倒して、対向する内側部品１１０と２点で接触することとなる。この状態では、先端係合爪１１ａ、２１ａが嵌合部Ｈａの首部Ｈａ２を強固に挟持することにより、嵌合部Ｈａの首部Ｈａ２に対する幅方向の強固な締付が行われる。
【０１６２】
この状態でさらに締付ナットＮｔの締め付けを行うことにより、図１７（ｅ）に示すように、外側部品１３０の内側面の下端部が先端湾曲部１１ｃと嵌合式立平葺屋根Ｒａの屋根本体Ｂａの表面との間に滑り込むことにより、外側部品１３０の内側面の下端部に対向する第１の内側部品１１０の先端湾曲部１１ｃが押し上げられる。これにより、取付器具３００では、首部Ｈａ２に対する高さ方向の強固な締付が行われる。
【０１６３】
また、取付器具３００を巻きハゼ立平葺屋根Ｒｂに取り付ける場合も、取付器具３００を嵌合式ハゼ立平葺屋根Ｒａに取り付ける場合と同様に、巻きハゼ立平葺屋根Ｒｂの巻きハゼ部Ｈｂの首部Ｈｂ２に対して幅方向の締付および高さ方向の締付が行われる。
【０１６４】
このように、実施形態３の取付器具３００は、突出部の首部の幅および高さが異なる種々のタイプの立平葺屋根に強固に固定することが可能なものである。
【０１６５】
〔実施形態４〕
１．取付器具４００の構造
図１８は、実施形態４による取付器具４００を説明するための図であり、図１８（ａ）は、取付器具４００の外観を示す平面図である。
【０１６６】
この実施形態４の取付器具４００は、実施形態１の取付器具１００における対向する２つの内側部品１１０および１２０を、１つの内側部品４１０に置き換えたものであり、その他の構成は実施形態１の取付器具１００におけるものと同一である。
【０１６７】
図１９は、図１８に示す取付器具４００を構成する内側部品４１０の構造を具体的に説明するための平面図であり、図１９（ａ）〜図１９（ｅ）はそれぞれ、図１８（ａ）に示す内側部品４１０を図３ＡのＡ方向〜Ｅ方向に相当する方向から見た構造を示す。
【０１６８】
内側部品４１０は、ソーラーパネルＳが載置される上面部４１０ｂと、上面部４１０ｂを支持する第１の側壁部４１０ａと、第１の側壁部４１０ａに対向する第２の側壁部４１０ｃとを有する。
【０１６９】
ここで、第１の側壁部４１０ａは、取付器具１００の第１の内側部品１１０を構成する側壁部１０ａにおける部品係合片１２を取り除いた構造を有し、上面部４１０ｂは、取付器具１００の第１の内側部品１１０を構成する上面部１０ｂにおける突起片１４を取り除いた構造を有する。さらに、第２の側壁部４１０ｃは、上面部４１０ｂを構成する上面基部１３のうちの側壁本体１１が延びる端部とは反対側の端部から下方に伸びる側壁本体４１１を含む。この側壁本体４１１は、上面基部１３の端部から延びる側壁本体１１より短く、上面基部１３の鉛直方向に対して、側壁本体４１１の下端側が上面基部１３の内側に入り込むように傾斜している。さらに、側壁本体４１１の下端部には、締付ボルトＢｔと干渉しないように切り込み４１１ｂが形成されている。
２．取付器具４００の使用方法
実施形態４の取付器具４００の使用方法は、実施形態１の取付器具１００と同一であるが、１つの内側部品４１０と対向する２つの外側部品１３０、１４０とにより突出部の首部を締め付ける動作が実施形態１のものと異なるので、締付ナットＮｔを締付ボルトＢｔに締め付けたときの３つの部品４１０、１３０、１４０の動きを、取付器具４００をハゼ巻き立平葺屋根Ｒｂに取り付ける場合を挙げて説明する。
【０１７０】
図１８（ｂ）〜図１８（ｅ）は、内側部品４１０および第１、第２の外側部品１３０、１４０がこれらの締結により移動する様子を段階的に示す断面図である。なお、図１８（ｂ）〜図１８（ｅ）では、図４（ｂ）のＸ−Ｘ線に相当する位置の断面が示されている。
【０１７１】
内側部品４１０と２つの外側部品１３０、１４０とが締め付け手段１００ａにより仮止めされている取付器具４００を巻きハゼ立平葺屋根Ｒｂ上に配置した状態（図１８（ｂ））で、締付ボルトＢｔおよび締付ナットＮｔにより外側部品１３０，１４０を内側方向に締め付けると、図１８（ｃ）に示すように、第１の外側部品１３０と第２の外側部品１４０とが締付ボルトＢｔおよび締付ナットＮｔにより引き寄せられる。
【０１７２】
さらに、締付ナットＮｔを締め付けると、図１８（ｄ）に示すように、１つの内側部品４１０の先端係合爪１１ａおよび第２の外側部品１４０の底面部の内側端が巻きハゼ立平葺屋根Ｈｂの嵌合部Ｈｂの首部Ｈｂ２に当接するまで移動する。この状態では、図１８（ｄ）に示すように、第１の内側部品１１０の先端係合爪１１ａと第２の外側部品１４０の底面部の内側端とが、巻きハゼ部Ｈｂの首部Ｈｂ２を挟持することにより、巻きハゼ部Ｈｂの首部Ｈｂ２に対する幅方向の締付が行われる。
【０１７３】
この状態でさらに締付ナットＮｔの締め付けを行うことにより、第１の外側部品１３０の底面部の内側端が先端湾曲部１１ｃと巻きハゼ立平葺屋根Ｒｂの屋根本体Ｂｂの表面との間に滑り込むことにより、図１８（ｅ）に示すように、第１の外側部品１３０の内側面の下端部が、これに対向する内側部品４１０の先端湾曲部１１ｃを押し上げる。これにより、取付器具４００では、首部Ｈｂ２に対する高さ方向の締付が行われる。
【０１７４】
また、取付器具４００を嵌合式立平葺屋根Ｒａに取り付ける場合も、取付器具４００を巻きハゼ立平葺屋根Ｒｂに取り付ける場合と同様に、嵌合式立平葺屋根Ｒａの嵌合部Ｈａの首部Ｈａ２に対して幅方向の締付および高さ方向の締付が行われる。
【０１７５】
このように、実施形態４の取付器具４００は、突出部の首部の幅および高さが異なる種々のタイプの立平葺屋根に強固に固定することが可能なものである。
【０１７６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した文献は、その内容自体が具体的に本明細書に記載されているのと同様にその内容が本明細書に対する参考として援用されるべきであることが理解される。
【産業上の利用可能性】
【０１７７】
本発明は、取付器具の分野において、突出部の形状や寸法が異なる種々の支持部材に被取付部材を取り付けることができる取付器具を得ることができるものとして有用である。
【符号の説明】
【０１７８】
１０ａ、２０ａ、３０ａ、４０ａ  側壁部
１０ｂ、２０ｂ、４１０ｂ  上面部
１１、２１、４１１  側壁本体
１１ａ、２１ａ  先端係合爪（係合爪）
１１ｂ、２１ｂ  ボルト挿通長孔
１１ｃ、２１ｃ  先端湾曲部
１２、２１２  部品係合片
１２ａ  ガイド溝
１３、２２  上面基部
１３ａ  ボルト装着溝
１４  突起片
１５、１６  パネル載置台
１５ａ  係止突起
２３  線状突出片
２３ａ  係合孔
３０ｂ、４０ｂ  底面部
３１、４１  第１傾斜部
３１ａ、４１ａ  ボルト挿通孔
３１ｂ  ボルト嵌合部
３１ｂ１、３１ｂ２  線状突出部
３２、４２  第２傾斜部
１００、２００、３００、４００  取付器具
１００ａ  締め付け手段
１１０、２１０  第１の内側部品
１２０、２２０  第２の内側部品
１３０  第１の外側部品
１４０  第２の外側部品
４１０  内側部品
４１０ａ  第１の側壁部
４１０ｃ  第２の側壁部
Ｂｆ  固定ボルト
Ｂｔ  締付ボルト
Ｈａ  嵌合部
Ｈａ１、Ｈｂ１  頭部
Ｈａ２、Ｈｂ２  首部
Ｈａ３、Ｈｂ３  顎部
Ｈｂ  巻きハゼ部
Ｎｆ  固定ナット
Ｎｔ  締付ナット
Ｒａ  嵌合式立平葺屋根
Ｒｂ  巻きハゼ立平葺屋根
Ｓｗ  スプリングワッシャー
Ｗ  平座金
【図１】
2019143703.tif 000003
【図２】
2019143703.tif 000004
【図３】
2019143703.tif 000005
【図３Ａ】
2019143703.tif 000006
【図４】
2019143703.tif 000007
【図５】
2019143703.tif 000008
【図６】
2019143703.tif 000009
【図７】
2019143703.tif 000010
【図８】
2019143703.tif 000011
【図９】
2019143703.tif 000012
【図１０】
2019143703.tif 000013
【図１１】
2019143703.tif 000014
【図１２】
2019143703.tif 000015
【図１３】
2019143703.tif 000016
【図１４】
2019143703.tif 000017
【図１５】
2019143703.tif 000018
【図１６】
2019143703.tif 000019
【図１７】
2019143703.tif 000020
【図１８】
2019143703.tif 000021
【図１９】
2019143703.tif 000022